(57)【要約】【課題】小動物を逃がすことなく確実に連続捕獲できる小動物捕獲器を提供する。【解決手段】捕獲容器１の入口２部分の床面近傍に、入口２から侵入しようとする小動物が奥の第１捕獲空間３に向かって移動することにより奥に向かって傾斜するよう揺動する第１シーソー板１１が設けられ、上記第１シーソー板１１の上には、初期状態で奥に向かって傾斜して上記入口２を閉鎖するとともに、上記第１シーソー板１１の揺動に連動して跳ね上がるよう揺動する第２シーソー板１２が設けられ、上記第２シーソー板１２の上には、第１捕獲空間３を第２捕獲空間４に連通させる連通部２１が設けられるとともに、上記連通部２１を閉鎖した状態から、侵入した小動物が跳ね上げて揺動させることが可能な第３シーソー板１３が設けられている。このため、小動物を逃がすことなく確実に連続捕獲できる。【選択図】図２
2012075385.tif 000002
【特許請求の範囲】
【請求項１】
捕獲容器に形成された入口を閉鎖することにより上記入口から侵入した小動物を捕獲する小動物捕獲器であって、
捕獲容器の入口部分の床面近傍に、入口から侵入しようとする小動物が奥の第１捕獲空間に向かって移動することにより奥に向かって傾斜するよう揺動する第１シーソー板が設けられ、
上記第１シーソー板の上には、初期状態で奥に向かって傾斜して上記入口を閉鎖するとともに、上記第１シーソー板の揺動に連動して跳ね上がるよう揺動する第２シーソー板が設けられ、
上記第２シーソー板の上には、第１捕獲空間を第２捕獲空間に連通させる連通部が設けられるとともに、上記連通部を閉鎖した状態から、侵入した小動物が跳ね上げて揺動させることが可能な第３シーソー板が設けられていることを特徴とする小動物捕獲器。
【請求項２】
上記第２シーソー板を跳ね上げた状態でロック可能なロック手段をさらに備えている請求項１記載の小動物捕獲器。
【発明の詳細な説明】
【技術分野】
【０００１】
本発明は、ネズミ等の小動物を捕獲するために使用される小動物捕獲器に関する。
【背景技術】
【０００２】
従来より、ネズミ等の小動物を捕獲するために、例えば下記の特許文献１に示すように、シーソー板を利用した小動物捕獲箱が提供されている。この小動物捕獲箱は、鼠がシーソーの中央より奥に入って行くと、その重さによってシーソーの奥側が少し下がる。すると、回転軸が下側に離れているのでバランスがくずれ、奥側がいっきに底まで下がり、シーソー下部の磁石と箱底の磁石の吸引力で固定される。この状態で、シーソー入口がふさがれることにより鼠が逃げられなくなるようにしている。
【先行技術文献】
【特許文献】
【０００３】
【特許文献１】実用新案登録第３１１３７８６号公報
【発明の概要】
【発明が解決しようとする課題】
【０００４】
上記小動物捕獲箱は、シーソーの奥側がいっきに下がったときに磁石の吸引力で固定するようになっている。このため、捕獲された小動物が驚いて暴れだすと磁石が外れてしまい、せっかく捕獲した小動物に逃げられてしまうという問題がある。一方、鼠等の小動物は尻尾が長く、体長の約１／２は尻尾の長さが占めている。したがって、シーソーの奥側がいっきに下がったときに、磁石の吸引力でシーソーが固定される前に鼠等の尻尾がシーソーと入口の間に挟まってしまい、磁石同士の間にその分隙間が出来て十分に固定することができない。一方、鼠等は、尻尾が挟まることにより異変を感じて逃げようとするので、この状態で鼠等が逆戻りすると、簡単にシーソーが元にもどってしまってせっかく箱に入った鼠等に簡単に逃げられてしまうという問題がある。また、１匹ないし２匹捕獲するのがせいぜいで、連続的に何匹も捕獲することができず、捕獲状況を頻繁に確認して１匹でも掛かっていれば捕獲された小動物を取り出して初期状態に戻し、仕掛けなおさなければならない。
【０００５】
本発明は、上記課題を解決するためになされたものであり、小動物を逃がすことなく確実に捕獲することができるうえ、連続捕獲を実現する小動物捕獲器を提供することをその目的とする。
【課題を解決するための手段】
【０００６】
上記の目的を達成するため、本発明の小動物捕獲器は、捕獲容器に形成された入口を閉鎖することにより上記入口から侵入した小動物を捕獲する小動物捕獲器であって、
捕獲容器の入口部分の床面近傍に、入口から侵入しようとする小動物が奥の第１捕獲空間に向かって移動することにより奥に向かって傾斜するよう揺動する第１シーソー板が設けられ、
上記第１シーソー板の上には、初期状態で奥に向かって傾斜して上記入口を閉鎖するとともに、上記第１シーソー板の揺動に連動して跳ね上がるよう揺動する第２シーソー板が設けられ、
上記第２シーソー板の上には、第１捕獲空間を第２捕獲空間に連通させる連通部が設けられるとともに、上記連通部を閉鎖した状態から、侵入した小動物が跳ね上げて揺動させることが可能な第３シーソー板が設けられていることを要旨とする。
【発明の効果】
【０００７】
本発明の小動物捕獲器によれば、小動物が入口から侵入する際には、まず、第１シーソー板の上を奥の第１捕獲空間に向かって移動することにより、第１シーソー板が奥に向かって傾斜するよう揺動する。すると、第１シーソー板の揺動に連動して第２シーソー板が跳ね上がるよう揺動し、小動物は第１捕獲空間内に侵入する。小動物が第１捕獲空間内に侵入して第１シーソー板の上から外れると、第１シーソー板は元の傾斜に戻るよう揺動し、この揺動に連動して第２シーソー板も元に戻るよう揺動する。第２シーソー板が元に戻ると、第２シーソー板により入口が閉鎖されて侵入した小動物は進入してきた入口からは出られなくなる。そして、第１捕獲空間の小動物は、第３シーソー板を跳ね上げて揺動させ、連通部を通って第２捕獲空間に捕獲される。このとき、小動物は入ったところに戻って出ようとするので、その性質を利用して第１捕獲空間から第２捕獲空間に捕獲することができるのである。その後、第３シーソー板は元に戻るよう揺動して連通部を閉鎖し、小動物は第２捕獲空間から出られなくなるのである。そうすると、第１捕獲空間は再び空になるので、つぎの小動物が進入して同様の捕獲作用が繰り返される。このように、小動物を逃がすことなく確実に捕獲することができるうえ、連続捕獲が実現する。
【０００８】
本発明において、上記第２シーソー板を跳ね上げた状態でロック可能なロック手段をさらに備えている場合には、
ロック手段によって第２シーソー板を跳ね上げた状態でロックしておくことにより、入口から第１捕獲空間までは小動物が自由に行き来できる状態となる。この状態でいわば餌付けをして慣れされ、安心させた段階で、ロック手段による上記ロックを解除し、上述した連続捕獲を開始することができる。このため、警戒心の強い小動物を安心させて効果的に捕獲することができる。
【図面の簡単な説明】
【０００９】
【図１】本発明の第１実施形態における小動物捕獲器の全体構造を示す斜視図である。
【図２】捕獲構造部の構造および動作を説明するための断面図である。
【図３】捕獲構造部の作用を説明するための断面図である。
【発明を実施するための形態】
【００１０】
以下、本発明の小動物捕獲器の実施形態について、図面を参照して詳細に説明する。
【００１１】
図１は、この第１実施形態における小動物捕獲器の全体構造を示す斜視図であり、図２および図３は捕獲構造部の断面図である。図２は捕獲構造部の初期状態および動作を説明する図であり、図３は捕獲構造部のロック状態を示すものである。
【００１２】
この小動物捕獲器は、捕獲容器１に形成された入口２を閉鎖することにより上記入口２から侵入した小動物を捕獲する小動物捕獲器である。
【００１３】
上記捕獲容器１は、この例では直方体の箱状であり、仕切板６を境にして下部に第１捕獲空間３、上部に第２捕獲空間４が設けられている。上記捕獲容器１には、小動物がまず上記第１捕獲空間３に侵入可能なように、側壁に入口２が設けられている。上記入口２の外側には、侵入する小動物を案内する樋状の外側通路を形成する通路壁７が突出形成されている。上記入口２、外側通路およびその奥側の第１捕獲空間３の一部にかけて、小動物を捕獲するための捕獲構造部５が設けられている。
【００１４】
図２は、捕獲構造部５の構造および動作を説明する断面図である。図２は初期状態である。
【００１５】
捕獲容器１の入口２部分の床面近傍に、入口２から侵入しようとする小動物が奥の第１捕獲空間３に向かって移動することにより奥に向かって傾斜するよう揺動する第１シーソー板１１が設けられている。
【００１６】
上記第１シーソー板１１は、入口２を挟んでその手前から奥に向かって延びるように配置され、入口２よりも手前側（外側）の第１軸により揺動するようになっている。すなわち、第１シーソー板１１は、第１軸１１ａの手前側よりも奥側が長くなっていて、手前の端部には、揺動のバランスを調節するための調節錘１４が設けられている。調節錘１４は、具体的には調節ナットであり、ナットを回転させることにより揺動のバランスを調節する。
【００１７】
上記第１シーソー板１１の上には、初期状態で奥に向かって傾斜して上記入口２を閉鎖するとともに、上記第１シーソー板１１の揺動に連動して跳ね上がるよう揺動する第２シーソー板１２が設けられている。
【００１８】
上記第２シーソー板１２は、入口２の奥側で第１シーソー板１１の上側に配置された第２軸１２ａを中心に揺動することにより、入口２を開閉するようになっている。上記第１シーソー板１１の第１軸１１ａよりも奥側の上部と、第２シーソー板１２の第２軸１２ａ下部とが、連結棒１５によって連結されている。上記連結棒１５の存在により、第１シーソー板１１が第１軸１１ａを中心に揺動すると、その揺動に連動して第２シーソー板１２が第２軸１２ａを中心に揺動する。連結棒１５を第２軸１２ａの下部に垂下した固定部に連結したため、小動物が乗ったときの第１シーソー板１１の上下動範囲を少なくでき、第１シーソー板１１の少ない動きで第２シーソー板１２を十分に揺動させることができる。上記第２シーソー板１２は、第２軸１２ａの手前側よりも奥側が少し長くなっていて、手前の端部には、揺動のバランスを調節するための錘１６が設けられている。
【００１９】
初期状態において、第２シーソー板１２の奥側端部は、第１シーソー板１１の奥側端部近傍上に乗っている。上記第２シーソー板１２の奥側端部と第１シーソー板１１の奥側端部の近傍には、各端部を小動物の手足や鼻先の接触からガードする第１ガード部材１７が設けられている。上記第１ガード部材１７は捕獲容器１の床面に設けられている。一方、上記第２シーソー板１２の手前端部および錘１６の近傍には、端部や錘１６を小動物の手足や鼻先の接触からガードする第２ガード部材１８が設けられている。上記第２ガード部材１８は捕獲容器１の壁面に設けられている。
【００２０】
また、上記第２シーソー板１２を跳ね上げた状態でロック可能なロック手段２０をさらに備えている。上記ロック手段２０は、具体的には、捕獲容器１の壁面のねじ穴にら着させたロックねじであり、上記第２シーソー板１２を跳ね上げた状態で第２シーソー板１２が戻らないようにロックねじをねじ込むことによりロック状態とする。
【００２１】
図３は、第２シーソー板１２を跳ね上げた状態で、上記ロック手段２０によって第２シーソー板１２が戻らないようにロックした状態である。
【００２２】
上記第２シーソー板１２の上には、第１捕獲空間３を第２捕獲空間４に連通させる連通部２１が設けられるとともに、上記連通部２１を閉鎖した状態から、侵入した小動物が跳ね上げて揺動させることが可能な第３シーソー板１３が設けられている。
【００２３】
上記連通部２１は、仕切板６の一部に開口を設けることにより形成している。そして、第３シーソー板１３は、連通部２１の奥寄り部に設けられた第３軸１３ａを中心に揺動することにより、上記連通部２１を開閉するようになっている。上記第３シーソー板１３の手前側の下側には、連通部２１の閉鎖状態を保持するためのストッパ２２が設けられている。また、上記第３シーソー板１３は、第３軸１３ａの奥側よりも手前側が少し長くなっていて、奥側の端部近傍には、揺動のバランスを調節するための錘２３が設けられている。一方、上記第３シーソー板１３の奥側端部および錘２３の近傍には、端部や錘２３を小動物の手足や鼻先の接触からガードする第３ガード部材１９が設けられている。上記第３ガード部材１９は仕切板６に設けられている。
【００２４】
上記構成により、本実施形態の小動物捕獲器は、例えばつぎのようにして動作して小動物を捕獲する。
【００２５】
すなわち、まず、第１捕獲空間３の奥に餌８を配置する。そして、図３に示すように第２シーソー板１２を跳ね上げてロック手段２０によってロックした状態で、小動物捕獲器を小動物の通り道等に配置する。
【００２６】
この状態では、入口２が開放されており、小動物は入口２から第１捕獲空間３内に自由に出入りすることができる。このとき、第２シーソー板１２はロック手段２０でロックされてほとんど動かないため、それに連動する第１シーソー板１１は小動物がその上で行き来してもほとんど揺動しない。このため、小動物に警戒心を与えることなく、小動物を慣れさせ、いわば餌付けをすることができる。
【００２７】
そして、ある程度餌８が食べられ、餌付けされた頃を見計らって、ロック手段２０のロックを解除し、図２に示す初期状態に戻す。
【００２８】
この状態で小動物が入口２に近寄って第１シーソー板１１に乗ると、第１シーソー板１１がわずかに奥に向かって傾斜するように揺動し、それに連動して第２シーソー板１２が跳ね上がるよう揺動して入口が開く。すると奥の餌８が見えるので、小動物は餌８に向かって進む。小動物が第１シーソー板１１の上から外れると、第１シーソー板１１および第２シーソー板１２が元に戻るように揺動して入口２が第２シーソー板１２で閉鎖される。この状態で、第２シーソー板１２と第１シーソー板１１の奥側端部は、第１ガード部材１７により小動物の手足や鼻先の接触からガードされているため、再び第２シーソー板１２が跳ね上げられて小動物に逃げられることがない。このようにして、小動物をまず第１捕獲空間３内に捕獲する。
【００２９】
捕獲された小動物は、入ってきたほうに向かって戻って逃げようとする習性があるため、第１捕獲空間３から入口２に向かって突き進む。そうすると、小動物は第２シーソー板１２上の坂道を登って第３シーソー板１３を押し上げる。第３シーソー板１３は小動物の押し上げにより揺動して連通部２１を開く。すると、小動物は、開いた連通部２１から第２捕獲空間４内に侵入する。小動物が第２捕獲空間４内に侵入すると、第３シーソー板１３は元に戻って連通部２１を閉鎖する。このとき、第３軸１３ａが第３シーソー板１３の上側に設けられているため、第３シーソー板１３がスムーズに戻って連通部２１を閉鎖する。また、ストッパ２２で第３シーソー板１３の動きが制限され、小動物が第３シーソー板１３に乗ってもそれより下の第２シーソー板１２等の動きに影響がでない。この状態で、上記第３シーソー板１３の奥側端部および錘２３は、小動物の手足や鼻先の接触から第３ガード部材１９によりガードされているため、第２捕獲空間４に捕獲された小動物の動きにより再び第３シーソー板１３が揺動して連通部２１が開いてしまうことがない。
【００３０】
そして、つぎの小動物が上述した動作と同様にして入口から侵入し、第１捕獲空間３に捕獲し、さらに第２捕獲空間４に捕獲する。このような捕獲動作を繰り返すことにより、連続的に小動物を捕獲できる。このとき、上記第２シーソー板１２の手前端部および錘１６は、小動物の手足や鼻先の接触から第２ガード部材１８によりガードされているため、第２捕獲空間４に捕獲された小動物の動きにより、第２シーソー板１２が跳ね上げられて第１捕獲空間３に捕獲された小動物を逃がしてしまうことがない。
【００３１】
このように、本実施形態の小動物捕獲器によれば、小動物が入口２から侵入する際には、まず、第１シーソー板１１の上を奥の第１捕獲空間３に向かって移動することにより、第１シーソー板１１が奥に向かって傾斜するよう揺動する。すると、第１シーソー板１１の揺動に連動して第２シーソー板１２が跳ね上がるよう揺動し、小動物は第１捕獲空間３内に侵入する。小動物が第１捕獲空間３内に侵入して第１シーソー板１１の上から外れると、第１シーソー板１１は元の傾斜に戻るよう揺動し、この揺動に連動して第２シーソー板１２も元に戻るよう揺動する。第２シーソー板１２が元に戻ると、第２シーソー板１２により入口２が閉鎖されて侵入した小動物は進入してきた入口２からは出られなくなる。そして、第１捕獲空間３の小動物は、第３シーソー板１３を跳ね上げて揺動させ、連通部２１を通って第２捕獲空間４に捕獲される。このとき、小動物は入ったところに戻って出ようとするので、その性質を利用して第１捕獲空間３から第２捕獲空間４に捕獲することができるのである。その後、第３シーソー板１３は元に戻るよう揺動して連通部２１を閉鎖し、小動物は第２捕獲空間４から出られなくなるのである。そうすると、第１捕獲空間３は再び空になるので、つぎの小動物が進入して同様の捕獲作用が繰り返される。このように、小動物を逃がすことなく確実に捕獲することができるうえ、連続捕獲が実現する。
【００３２】
また、上記第２シーソー板１２を跳ね上げた状態でロック可能なロック手段２０をさらに備えているため、ロック手段２０によって第２シーソー板１２を跳ね上げた状態でロックしておくことにより、入口２から第１捕獲空間３までは小動物が自由に行き来できる状態となる。この状態でいわば餌付けをして慣れされ、安心させた段階で、ロック手段２０による上記ロックを解除し、上述した連続捕獲を開始することができる。このため、警戒心の強い小動物を安心させて効果的に捕獲することができる。
【００３３】
なお、上記実施形態では、上記捕獲容器１として直方体の箱状のものを例示したが、これに限定するものではなく、容器形状としては各種のものを採用することができる。また、ロック手段２０として、捕獲容器１の壁面のねじ穴にら着させたロックねじを例示したが、これに限定するものではなく、第２シーソー板１２の揺動を規制して入口２を開放した状態を維持するようにロックしうるものであれば、各種の形態を採用することができる。
【符号の説明】
【００３４】
１：捕獲容器
２：入口
３：第１捕獲空間
４：第２捕獲空間
５：捕獲構造部
６：仕切板
７：通路壁
８：餌
１１：第１シーソー板
１１ａ：第１軸
１２：第２シーソー板
１２ａ：第２軸
１３：第３シーソー板
１３ａ：第３軸
１４：調節錘
１５：連結棒
１６：錘
１７：第１ガード部材
１８：第２ガード部材
１９：第３ガード部材
２０：ロック手段
２１：連通部
２２：ストッパ
２３：錘
【図１】
2012075385.tif 000003
【図２】
2012075385.tif 000004
【図３】
2012075385.tif 000005